(57)【特許請求の範囲】
【請求項１】
タッチパネルを介して画像を修正する画像修正装置であって、
ユーザーが前記タッチパネルに接触させる被接触体の軌跡を検出する軌跡検出部と、
前記タッチパネルに接触した互いに異なる２つの前記被接触体を前記ユーザーがスライド操作するときに、前記軌跡に対応する選択領域を前記タッチパネルに表示する領域形成部と、
前記スライド操作の後に前記ユーザーが前記２つの被接触体を前記タッチパネルから離すタイミングが互いに略同時であるか否かを判定する判定部と、
前記判定部が略同時であると判定した場合に、前記選択領域内に表示された前記画像を消去する消去部と
を備え、
線画を生成する線画生成部を更に備え、
前記領域形成部は、前記軌跡検出部によって検出される２つの軌跡の始点を結ぶ線分と、前記２つの軌跡の終点を結ぶ線分とを生成し、
前記選択領域は、前記２つの軌跡と、前記始点を結ぶ線分と、前記終点を結ぶ線分とによって囲まれる領域であり、
前記軌跡検出部は、３つの被接触体をユーザーがスライド移動させるときに、３つの軌跡を検出し、
前記線画生成部は、前記軌跡検出部が前記３つの軌跡を検出したときに、前記３つの軌跡のうち、いずれか１つの軌跡に対応させて予め設定された所定の線画を生成して、前記タッチパネルに前記線画に対応する画像を表示する、画像修正装置。
【請求項２】
前記判定部は、第１時点と第２時点との間の期間が予め設定された所定時間未満である場合に、前記タイミングが前記略同時であると判定し、
前記第１時点は、前記ユーザーが前記タッチパネルから前記２つの被接触体のうちのいずれか一方の前記被接触体を離した時点であり、
前記第２時点は、前記タッチパネルから前記２つの被接触体のうちの他方の前記被接触体を離した時点である、請求項１に記載の画像修正装置。
【請求項３】
前記判定部は、前記期間が前記所定時間以上である場合に、前記タイミングが前記略同時でないと判定し、
前記消去部は、前記判定部が前記略同時でないと判定した場合に、前記選択領域を消去する、請求項２に記載の画像修正装置。
【請求項４】
前記軌跡検出部は、４つの被接触体をユーザーがスライド移動させるときに、４つの軌跡を検出し、
前記線画生成部は、前記軌跡検出部が前記４つの軌跡を検出したときに、前記４つの軌跡のうち、いずれか１つの軌跡に対応させて、線種、太さ、及び色のいずれか１つが前記所定の線画と異なる線画を生成して、前記タッチパネルに前記線画に対応する画像を表示する、請求項１から請求項３のいずれか１項に記載の画像修正装置。
【請求項５】
ユーザーの操作に応じて前記線画の形態を選択する形態選択部を更に備え、
前記形態は、前記線画の線種、太さ、及び色の少なくとも１つを含み、
前記形態選択部は、前記形態を前記ユーザーに選択させる選択画面を前記タッチパネルに表示し、
前記線画生成部は、前記選択画面を介して選択された前記形態に対応する前記線画を生成する、請求項１から請求項４のいずれか１項に記載の画像修正装置。
【請求項６】
請求項１から請求項５のいずれか１項に記載の画像修正装置と、
シートに前記画像を形成する画像形成部と
を備える、画像形成装置。
【発明の詳細な説明】
【技術分野】
【０００１】
本発明は、画像修正装置及び画像形成装置に関する。
【背景技術】
【０００２】
従来、ユーザーがタッチパネルで操作する情報処理装置が知られている。このような情報処理装置として、特許文献１に記載の情報処理装置は、タッチパネルに表示されたアイコンにユーザーが２本の指を接触させることによって、アイコンに対して所定の処理を実行する。特許文献１に記載の情報処理装置によれば、ユーザーは、例えば、アイコンに接触させている２本の指の間の距離を増加するように２本の指を移動することによって、アイコンを消去できる。
【先行技術文献】
【特許文献】
【０００３】
【特許文献１】特開２０１２−１１８７９６号公報
【発明の概要】
【発明が解決しようとする課題】
【０００４】
しかしながら、特許文献１に記載の情報処理装置では、アイコンの消去、移動、コピー、又は縮小のような各種処理の際、処理毎に予め規定された方向にユーザーが２本の指を移動するため、各処理に対応するタッチ操作が複雑である。このようにタッチ操作が複雑であるため、ユーザーの誤操作が発生する恐れがある。従って、ユーザーは、誤操作によってアイコンを誤って消去する恐れがあった。
【０００５】
本発明は上記課題に鑑みてなされたものであり、画像の誤って消去することを抑制できる画像修正装置及び画像形成装置を提供することを目的とする。
【課題を解決するための手段】
【０００６】
本発明に係る画像修正装置は、タッチパネルを介して画像を修正する。前記画像修正装置は、軌跡検出部と、領域形成部と、判定部と、消去部とを備える。前記軌跡検出部は、ユーザーが前記タッチパネルに接触させる被接触体の軌跡を検出する。前記領域形成部は、前記タッチパネルに接触した互いに異なる２つの前記被接触体を前記ユーザーがスライド操作するときに、前記軌跡に対応する選択領域を前記タッチパネルに表示する。前記判定部は、前記スライド操作の後に前記ユーザーが前記２つの被接触体を前記タッチパネルから離すタイミングが互いに略同時であるか否かを判定する。前記消去部は、前記判定部が略同時であると判定した場合に、前記選択領域内に表示された前記画像を消去する。前記領域形成部は、前記軌跡検出部によって検出される２つの軌跡の始点を結ぶ線分と、前記２つの軌跡の終点を結ぶ線分とを生成する。前記選択領域は、前記２つの軌跡と、前記始点を結ぶ線分と、前記終点を結ぶ線分とによって囲まれる領域である。
【０００７】
本発明に係る画像形成装置は、上記に記載の画像修正装置と、画像形成部とを備える。前記画像形成部は、シートに前記画像を形成する。
【発明の効果】
【０００８】
本発明によれば、画像の誤った消去を抑制できる。
【図面の簡単な説明】
【０００９】
【図１】本発明の実施形態に係る画像形成装置を示す側面図である。
【図２】図１に示す画像修正装置の構成を示すブロック図である。
【図３】（ａ）〜（ｄ）は、図２に示すタッチパネルに表示される画像修正画面を示す画面図である。
【図４】（ａ）及び（ｂ）は、図２に示すタッチパネルに表示される画像修正画面を示す画面図である。
【図５】図２に示す画像修正装置の画像修正処理を示すフローチャートである。
【図６】（ａ）〜（ｃ）は、図２に示すタッチパネルに表示される線画生成画面を示す画面図である。
【図７】（ａ）及び（ｂ）は、図２に示すタッチパネルに表示される線画生成画面を示す画面図である。
【図８】（ａ）〜（ｃ）は、図２に示すタッチパネルに表示される線画生成画面を示す画面図である。
【発明を実施するための形態】
【００１０】
以下、本発明の実施形態について、図面を参照しながら説明する。なお、図中、同一又は相当部分については同一の参照符号を付して説明を繰り返さない。
【００１１】
図１を参照して、本発明の実施形態に係る画像形成装置１００について説明する。図１は、画像形成装置１００を示す側面図である。画像形成装置１００は、例えば、複合機（ＭＦＰ：Ｍｕｌｔｉ  Ｆｕｎｃｔｉｏｎ  Ｐｅｒｉｐｈｅｒａｌ）である。画像形成装置１００は、画像修正部１と、給送部２と、搬送部３と、画像形成部４と、定着部５と、排出部６とを備える。
【００１２】
画像修正部１は、画像修正装置として機能する。画像修正装置は、複合機の他に、例えば、タブレットＰＣ、又は、スマートフォンに搭載されている実施形態でもよい。本実施形態では、画像修正装置が複合機に搭載されている場合について説明する。画像修正部１は、制御部１０と、タッチパネル２０とを含む。制御部１０は、ＣＰＵ（Ｃｅｎｔｒａｌ  Ｐｒｏｃｅｓｓｉｎｇ  Ｕｎｉｔ）と主記憶装置（例えば、半導体メモリー）とを含む。制御部１０は、ＣＰＵが、主記憶装置に格納された制御プログラムを実行することによって各種機能部として機能する。制御部１０の各種機能部は、画像形成装置１００の各要素を制御する。具体的には、制御部１０は、給送部２、搬送部３、画像形成部４、定着部５、排出部６、及びタッチパネル２０を制御する。制御部１０は、タッチパネル２０を介して画像を修正する。タッチパネル２０は、複数の（例えば、最大５つの）タッチ（いわゆるマルチタッチ）位置を同時に検出することができる。具体的には、タッチパネル２０は、静電容量方式のタッチパネル機能を有する液晶ディスプレーである。ユーザーは、タッチパネル２０から各種指示を入力する。画像修正部１の詳細については、図２を参照して後述する。
【００１３】
給送部２は、複数のシートＳを収容し、搬送部３へシートＳを搬送する。シートＳは、例えば、紙製又は合成樹脂製のシートである。搬送部３は、複数の搬送ローラー対を含み、画像形成部４にシートＳを搬送する。画像形成部４は、電子写真方式により、シートＳにトナー像（画像）を形成する。搬送部３は、トナー像の形成されたシートＳを定着部５に搬送する。定着部５は、シートＳに形成されたトナー像を加熱及び加圧して、シートＳにトナー像を定着させる。搬送部３は、トナー像の定着されたシートＳを排出部６に搬送する。排出部６は画像形成装置１００の外部にシートＳを排出する。
【００１４】
続いて、図２を参照して、画像修正部１（画像修正装置）の構成について説明する。図２は、画像修正部１の構成を示すブロック図である。図１を参照して説明した制御部１０は、表示制御部１１、軌跡検出部１２、領域形成部１３、判定部１４、消去部１５、線画生成部１６、形態選択部１７、及び記憶部１８を備える。
【００１５】
表示制御部１１は、ユーザーの操作に応じて各種画像をタッチパネル２０に表示する。各種画像は、例えば、線画を示す画像（以下、「線画画像」と記載する。）、アイコンを示す画像、及び、操作を要求するメッセージ画像を含む。
【００１６】
軌跡検出部１２は、ユーザーがタッチパネル２０に接触させる被接触体（例えば、指）の軌跡を検出する。領域形成部１３は、タッチパネル２０に接触した互いに異なる２つの被接触体をユーザーがスライド操作するときに、軌跡に対応する選択領域をタッチパネル２０に表示する。軌跡検出部１２及び領域形成部１３の詳細については、図３を参照して後述する。
【００１７】
判定部１４は、スライド操作の後にユーザーが２つの被接触体をタッチパネル２０から離すタイミングが互いに略同時であるか否かを判定する。消去部１５は、判定部１４が略同時であると判定した場合に、選択領域内に表示された画像を消去する。判定部１４及び消去部１５の詳細については、図３及び図４を参照して後述する。
【００１８】
線画生成部１６は、ユーザーの操作に応じて線画を生成し、線画画像をタッチパネル２０に表示する。線画生成部１６の詳細については、図６及び図７を参照して後述する。
【００１９】
形態選択部１７は、線画の形態をユーザーに選択させる選択画面をタッチパネル２０に表示する。また、形態選択部１７は、選択画面を介して線画の形態を選択する。形態選択部１７の詳細については、図８を参照して後述する。
【００２０】
記憶部１８は、例えば、線画生成部１６によって生成された線画画像に対応する画像情報、ＵＳＢメモリーを介して外部から入力された画像情報、及び、原稿の画像をスキャンすることによって取得した原稿画像情報が予め記憶されている。
【００２１】
続いて、図３を参照して、軌跡検出部１２、領域形成部１３、判定部１４、及び消去部１５の詳細について説明する。図３（ａ）〜図３（ｄ）は、画像修正部１のタッチパネル２０に表示される画像修正画面２０１〜２０４を示す画面図である。画像修正画面２０１〜２０４を参照して、タッチパネル２０に表示された画像Ｇ１の一部をユーザーが消去する操作を順に示す。
【００２２】
詳細な説明に先立って、本明細書におけるＸＹ座標系について説明する。Ｘ軸は、タッチパネル２０の画面の長辺と平行であり、Ｙ軸はタッチパネル２０の画面の短辺と平行である。タッチパネル２０に対するタッチ位置は、位置座標（Ｘ，Ｙ）によって表される。
【００２３】
図３（ａ）に示す画像修正画面２０１は、表示制御部１１がタッチパネル２０に画像Ｇ１を表示したことを示す画面である。画像Ｇ１は、線画生成部１６によって生成された線画画像、又は、記憶部１８に記憶されている画像情報が示す画像（例えば、線画画像）である。本実施形態では、画像Ｇ１は、線画生成部１６によって生成された線画画像（以下、「線画画像Ｇ１」と記載する。）である場合について説明する。
【００２４】
図３（ｂ）に示す画像修正画面２０２は、領域形成部１３が選択領域Ａを指定したことを示す画面である。軌跡検出部１２は、ユーザーがタッチパネル２０に接触させる被接触体Ｆの軌跡Ｔを検出する。被接触体Ｆは、例えば、ユーザーの右手の親指Ｆ１（以下、「指Ｆ１」と記載する。）、及び、右手の人差し指Ｆ２（以下、「指Ｆ２」と記載する。）であるが、被接触体Ｆはこれに限られない。例えば、被接触体Ｆが、タッチペンであってもよい。ユーザーは、互いに異なる指Ｆ１と指Ｆ２との間に、線画画像Ｇ１の一部である線画画像Ｇ１２が位置するように、矢印Ｄが示すＤ方向に指Ｆ１と指Ｆ２とをスライド移動させる。線画画像Ｇ１２は、ユーザーが消去を所望する画像である。Ｄ方向は、例えば、Ｘ軸の正方向である。軌跡検出部１２は、タッチパネル２０への指Ｆ１のタッチ位置と、指Ｆ２のタッチ位置とを検出する。軌跡Ｔは、例えば、指Ｆ１のタッチ位置の軌跡Ｔ１と、指Ｆ２のタッチ位置の軌跡Ｔ２である。
【００２５】
領域形成部１３は、線分Ｌ１と線分Ｌ２とを生成する。線分Ｌ１は、軌跡Ｔ１の始点ＳＰ１と軌跡Ｔ２の始点ＳＰ２とを結ぶ線分である。線分Ｌ２は、軌跡Ｔ１の終点ＥＰ１と軌跡Ｔ２の終点ＥＰ２とを結ぶ線分である。選択領域Ａは、軌跡Ｔ１と軌跡Ｔ２と線分Ｌ１と線分Ｌ２とによって囲まれて生成された領域である。線画画像Ｇ１は、線画画像Ｇ１１と線画画像Ｇ１２とから構成される。線画画像Ｇ１１は、選択領域Ａの外側に位置している。一方、線画画像Ｇ１２は、選択領域Ａの内側に位置している。領域形成部１３は、指Ｆ１と指Ｆ２とが終点ＥＰ１と終点ＥＰ２とにそれぞれ接触している間、選択領域Ａをタッチパネル２０に表示する。領域形成部１３は、図面では、便宜上、選択領域Ａを黒枠線のみで表示しているが、実際には、ユーザーが、画像Ｇ１２が消去を所望する画像であるか否かを判定できるように、選択領域Ａ全体をハッチング又は着色して表示する。
【００２６】
図３（ｃ）に示す画像修正画面２０３は、消去部１５が選択領域Ａ内の線画画像Ｇ１２をタッチパネル２０から消去したことを示す画面である。判定部１４は、スライド操作の後にユーザーが指Ｆ１と指Ｆ２とをタッチパネル２０から離すタイミングが互いに略同時であるか否かを判定する。判定部１４は、第１時点Ｍ１と第２時点Ｍ２との間の期間Ｋが所定時間Ｈ未満である場合に、タイミングが略同時であると判定する。第１時点Ｍ１は、ユーザーがタッチパネル２０から２つの指Ｆ１及びＦ２のうちのいずれか一方の指を離した時点である。第２時点Ｍ２は、タッチパネル２０から２つの指Ｆ１及びＦ２のうちの他方の指を離した時点である。所定時間Ｈは、デフォルト又はユーザーの操作によって予め設定されており、例えば、０．２秒である。例えば、ユーザーが終点ＥＰ２から指Ｆ２を離した時点から、０．１秒後に、終点ＥＰ１から指Ｆ１を離した場合、判定部１４は、タイミングが互いに略同時であると判定し、判定結果を消去部１５に通知する。一方、判定部１４が略同時ではないと判定した場合については、図４を参照して後述する。
【００２７】
消去部１５は、判定部１４の判定結果に応じて、選択領域Ａ内に表示された線画画像Ｇ１２をタッチパネル２０から消去する。具体的には、判定部１４が略同時であると判定したときに、消去部１５は、選択領域Ａ内に表示された線画画像Ｇ１２をタッチパネル２０から消去する。換言すれば、期間Ｋが所定時間Ｈ未満である場合に、消去部１５は、選択領域Ａ内に表示された線画画像Ｇ１２をタッチパネル２０から消去する。また、消去部１５は、線画画像Ｇ１２に対応する画像情報を記憶部１８から消去する。さらに、消去部１５は、線画画像Ｇ１２を消去する際に、併せて選択領域Ａを消去する。なお、選択領域Ａを消去するとは、軌跡Ｔ１と軌跡Ｔ２と線分Ｌ１と線分Ｌ２とを消去することを含む。その結果、図３（ｄ）に示す画像修正画面２０４のように、線画画像Ｇ１１のみがタッチパネル２０に表示される。
【００２８】
続いて、図４を参照して、判定部１４及び消去部１５の詳細について引き続き説明する。図４（ａ）及び図４（ｂ）は、画像修正部１のタッチパネル２０に表示される画像修正画面２０５及び２０６を示す画面図である。画像修正画面２０５及び２０６は、ユーザーが線画画像Ｇ１１を消去しない操作を順に示す。
【００２９】
図４（ａ）に示す画像修正画面２０５は、図３（ｂ）に示した画像修正画面２０２の操作の後、消去部１５が選択領域Ａのみをタッチパネル２０から消去したことを示す画面である。図３（ｃ）を参照して説明した判定部１４の判定結果と異なり、第１時点Ｍ１と第２時点Ｍ２との間の期間Ｋが所定時間Ｈ（例えば０．２秒）以上である場合に、判定部１４は、タイミングが略同時でないと判定する。例えば、ユーザーが終点ＥＰ２から指Ｆ２を離した時点から０．５秒後に、終点ＥＰ１から指Ｆ１を離した場合、判定部１４は、タイミングが略同時でないと判定し、判定結果を消去部１５に通知する。
【００３０】
消去部１５は、判定部１４の判定結果に応じて、選択領域Ａを消去する。その結果、図４（ｂ）に示す画像修正画面２０６のように、消去部１５は、線画画像Ｇ１２を消去せず、線画画像Ｇ１の表示が維持される。
【００３１】
続いて、図５を参照して、画像修正部１の画像修正処理について説明する。図５は、画像修正部１の画像修正処理を示すフローチャートである。ここで説明する画像修正処理は、タッチパネル２０に表示されている線画画像Ｇ１の一部を消去する処理であり、既に説明した画像修正画面２０２〜２０６（図３（ｂ）〜図３（ｄ）、図４（ａ）、及び図４（ｂ））に対応する。
【００３２】
ステップＳ１０１において、ユーザーが２つの指Ｆ（Ｆ１、Ｆ２）をタッチパネル２０に接触させてスライド操作すると、軌跡検出部１２は、２つの軌跡Ｔ（Ｔ１、Ｔ２）を検出する（図３（ｂ））。処理は、ステップＳ１０３に進む。
【００３３】
次に、ステップＳ１０３において、領域形成部１３は、２つの軌跡Ｔ（Ｔ１、Ｔ２）に対応する選択領域Ａを生成する（図３（ｂ））。領域形成部１３は、指Ｆ１と指Ｆ２とがタッチパネル２０に接触している間、選択領域Ａを表示する。処理は、ステップＳ１０５に進む。
【００３４】
次に、ステップＳ１０５において、判定部１４が、ユーザーが指Ｆ１と指Ｆ２とをタッチパネル２０から離したタイミングが略同時であるか否かを判定する。判定部１４が、ユーザーが指Ｆ１と指Ｆ２とをタッチパネル２０から離したタイミングが略同時であると判定した場合（ステップＳ１０５でＹＥＳ）に、処理はステップＳ１０７に進む。一方、判定部１４が、ユーザーが指Ｆ１と指Ｆ２とをタッチパネル２０から離したタイミングが略同時でないと判定した場合（ステップＳ１０５でＮＯ）に、処理はステップＳ１０９に進む。
【００３５】
次に、ステップＳ１０７において、消去部１５は、判定部１４の判定結果に応じて、選択領域Ａと、選択領域Ａ内に表示された線画画像Ｇ１２とをタッチパネル２０から消去する（図３（ｃ））。タッチパネル２０には、線画画像Ｇ１１のみが表示される（図３（ｄ））。そして、処理は終了する。
【００３６】
上述したステップＳ１０５でＮＯの場合、ステップＳ１０９において、消去部１５は、判定部１４の判定結果に応じて、選択領域Ａをタッチパネル２０から消去する（図４（ａ））。タッチパネル２０には線画画像Ｇ１全体が表示される（図４（ｂ））。そして、処理は終了する。
【００３７】
以上、図１〜図５を参照して説明したように、領域形成部１３は、タッチパネル２０に接触した２つの指Ｆ（Ｆ１、Ｆ２）をユーザーがスライド操作するときに、軌跡Ｔ（Ｔ１、Ｔ２）に対応する選択領域Ａをタッチパネル２０に表示する。判定部１４は、ユーザーが２つの指Ｆ（Ｆ１、Ｆ２）をタッチパネル２０から離すタイミングが略同時であると判定した場合に、選択領域Ａ内に表示された線画画像Ｇ１２（画像）を消去する。このようにしてタッチパネル２０から２つの指Ｆ（Ｆ１、Ｆ２）を略同時に離すことによって、ユーザーは画像を消去する。従って、所望の画像を消去する際、複雑なタッチ操作を要しない。その結果、画像の誤った消去を抑制ができる。
【００３８】
さらに、本実施形態によれば、第１時点Ｍ１と、第２時点Ｍ２との間の期間Ｋが予め設定された所定時間Ｈ未満である場合に、判定部１４は、タイミングが略同時であると判定する。ユーザーは、所定時間Ｈを意識してタッチパネル２０から２つの指Ｆ（Ｆ１、Ｆ２）を離すことによって線画画像Ｇ１２を消去する。従って、画像の誤った消去を更に抑制できる。
【００３９】
さらに、本実施形態によれば、期間Ｋが予め設定された所定時間Ｈ以上である場合に、判定部１４は、タイミングが略同時でないと判定する。消去部１５は、線画画像Ｇ１２を消去せずに選択領域Ａのみを消去する。従って、一方の指Ｆ１のみを所定時間Ｈ以上タッチパネル２０に接触させておくことによって、ユーザーは、容易に線画画像Ｇ１２の表示を維持することができる。換言すれば、選択領域Ａを形成した後に、線画画像Ｇ１２を消去するか否かを選択することができる。その結果、画像の誤った消去を更に抑制できる。
【００４０】
続いて、図６を参照して、線画生成部１６の詳細について説明する。図６（ａ）〜図６（ｃ）は、画像修正部１のタッチパネル２０に表示される線画生成画面２０７〜２０９を示す画面図である。
【００４１】
図６（ａ）に示す線画生成画面２０７は、線画生成部１６が直線を示す線画画像Ｇ２を生成したことを示す画面である。ユーザーは、例えば、画像修正画面２０４（図３（ｄ））に示した線画画像Ｇ１１に連なるように実線を描画する場合、タッチパネル２０に接触させた指Ｆ２を始点ＳＰ３から終点ＥＰ３までＤ方向にスライド移動させる。軌跡検出部１２は、指Ｆ２の軌跡Ｔ３を検出する。
【００４２】
線画生成部１６は、軌跡検出部１２の検出結果に応じて、デフォルトで設定されている実線（例えば、黒色の直線）を示す線画画像Ｇ２を生成する。線画生成部１６は、生成した線画画像Ｇ２の両端点の位置が軌跡Ｔ３の始点ＳＰ３の位置と終点ＥＰ３の位置とに一致するように、線画画像Ｇ２を軌跡Ｔ３に対応させてタッチパネル２０に表示する。
【００４３】
図６（ｂ）及び図６（ｃ）に示す線画生成画面２０８及び２０９は、ユーザーがタッチパネル２０に波線を描画する操作を順に示す。図６（ｂ）に示す線画生成画面２０８は、線画生成部１６が波線を示す線画画像Ｇ３を生成したことを示す画面である。ユーザーは、画像修正画面２０４（図３（ｄ））に示した線画画像Ｇ１１に連なるように波線を描画する場合、タッチパネル２０に接触させた３つの指Ｆ（Ｆ１〜Ｆ３）を、対応する始点ＳＰ（ＳＰ４、ＳＰ３１、ＳＰ５）から対応する終点ＥＰ（ＥＰ４、ＥＰ３１、ＥＰ５）までＤ方向にスライド操作する。指Ｆ３は、指Ｆ１と指Ｆ２とは異なる指（例えば、右手の中指）である。軌跡検出部１２は、３つの指Ｆ（Ｆ１〜Ｆ３）をユーザーがスライド移動するときに、対応する３つの軌跡Ｔ（Ｔ４、Ｔ３１、Ｔ５）を検出する。
【００４４】
線画生成部１６は、軌跡検出部１２が３つの軌跡Ｔ（Ｔ４、Ｔ３１、Ｔ５）を検出したときに、３つの軌跡Ｔ（Ｔ４、Ｔ３１、Ｔ５）のうちいずれか１つの軌跡に対応させて、予め設定された所定の線画を生成する。所定の線画（例えば、黒色の波線）は、デフォルト又はユーザーの操作によって予め設定されている。線画生成部１６は、生成した線画に対応する線画画像Ｇ３をタッチパネル２０に表示する。例えば、線画生成部１６は、生成した線画画像Ｇ３の両端点の位置が軌跡Ｔ３１の始点ＳＰ３１の位置と終点ＥＰ３１の位置とに一致するように、軌跡Ｔ３１に対応させて線画画像Ｇ３を生成して表示する。その後、ユーザーがタッチパネル２０から指Ｆ１〜Ｆ３を離すことによって、図６（ｃ）に示す線画生成画面２０９のように、線画生成部１６は、線画画像Ｇ１１と、画像Ｇ１１に連なる線画画像Ｇ３とを記憶部１８に記録する。
【００４５】
以上、図６を参照して説明したように、３本の指Ｆ（Ｆ１〜Ｆ３）でマルチタッチすることによって、線画生成部１６は、予め設定された所定の線画画像Ｇ３をタッチパネル２０に表示する。マルチタッチする指Ｆの本数を２本から３本に増やすことによって、ユーザーは、画像の消去操作を線画の描画操作に切り替えて、デフォルト設定（黒色の実線）と異なる線画画像Ｇ３を描画することができる。その結果、多様な描画をすることができるため、ユーザーの描画操作の利便性を向上させることができる。
【００４６】
図７を参照して、引き続き線画生成部１６の詳細について説明する。図７（ａ）及び図７（ｂ）は、画像修正部１のタッチパネル２０に表示される線画生成画面２１０及び２１１を示す画面図である。線画生成画面２１０及び２１１は、ユーザーがタッチパネル２０に破線を描画する操作を順に示す。
【００４７】
図７（ａ）に示す線画生成画面２１０は、線画生成部１６が破線を示す線画画像Ｇ４を生成したことを示す画面である。既に説明した線画画像Ｇ１１に連なるように、線画生成画面２０９（図６（ｃ））に示した波線と異なる線画を描画する場合、ユーザーは、タッチパネル２０に接触させた４つの指Ｆ（Ｆ１〜Ｆ４）を、対応する始点ＳＰ（ＳＰ６、ＳＰ３２、ＳＰ７、ＳＰ８）から対応する終点ＥＰ（ＥＰ６、ＥＰ３２、ＥＰ７、ＥＰ８）までＤ方向にスライド操作する。指Ｆ４は、指Ｆ１〜Ｆ３とは異なる指（例えば、右手の薬指）である。軌跡検出部１２は、４つの指Ｆ（Ｆ１〜Ｆ４）をユーザーがスライド移動するときに、対応する４つの軌跡Ｔ（Ｔ６、Ｔ３２、Ｔ７、Ｔ８）を検出する。
【００４８】
線画生成部１６は、軌跡検出部１２が４つの軌跡Ｔ（Ｔ６、Ｔ３２、Ｔ７、Ｔ８）を検出したときに、４つの軌跡Ｔ（Ｔ６、Ｔ３２、Ｔ７、Ｔ８）のうち、いずれか１つの軌跡に対応させて、線種、太さ、及び色のいずれか１つが所定の線画と異なる線画を生成する。所定の線画（例えば、黒色の波線）と異なる線画（例えば、黒色の破線）は、デフォルト又はユーザーの操作によって予め設定されている。線画生成部１６は、生成した線画に対応する線画画像Ｇ４をタッチパネル２０に表示する。例えば、線画生成部１６は、生成した線画画像Ｇ４の両端点の位置が軌跡Ｔ３２の始点ＳＰ３２の位置と終点ＥＰ３２の位置とに一致するように、軌跡Ｔ３２に対応させて線画画像Ｇ４を生成し表示する。その後、ユーザーがタッチパネル２０から指Ｆ１〜Ｆ４を離すことによって、図６（ｂ）に示す線画生成画面２１１のように、線画生成部１６は、線画画像Ｇ１１と、画像Ｇ１１に連なる線画画像Ｇ４とを記憶部１８に記録する。
【００４９】
以上、図７を参照して説明したように、４本の指Ｆ（Ｆ１〜Ｆ４）でマルチタッチすることによって、線画生成部１６は、線種、太さ、及び色のいずれか１つが線画画像Ｇ３（図６（ｂ）及び図６（ｂ））と異なる線画画像Ｇ４をタッチパネル２０に表示する。従って、指Ｆの本数に応じて、更に多様な描画をすることができるため、ユーザーの描画操作の利便性を更に向上させることができる。
【００５０】
続いて、図８を参照して、形態選択部１７の詳細について説明する。図８（ａ）〜図８（ｃ）は、画像修正部１のタッチパネル２０に表示される線画生成画面２１２〜２１４を示す画面図である。線画生成画面２１２〜２１４は、ユーザーがタッチパネル２０に二重線を描画する操作を順に示す。
【００５１】
図８（ａ）に示す線画生成画面２１２は、形態選択部１７が線画の形態をユーザーに選択させる選択窓Ｗをタッチパネル２０に表示したことを示す画面であり、「選択画面」に相当する。線画の形態は、線画の線種（例えば、波線、破線、二重線）、太さ（例えば、細線、太線、極太線）、及び色（例えば、赤色、青色、黄色）の少なくとも１つを含む。ユーザーが３本の指Ｆ（Ｆ１〜Ｆ３）をそれぞれ対応する始点ＳＰ（ＳＰ９、ＳＰ３３、ＳＰ１０）にタッチパネル２０に接触させたときに、形態選択部１７は、選択窓Ｗをタッチパネル２０に表示する。ユーザーは、既に説明したデフォルト設定の線画画像Ｇ２が示す線画（例えば、黒い実線）と異なる線画ＷＧ１、ＷＧ２、及びＷＧ３を選択窓Ｗから選択することができる。ユーザーは、３本の指Ｆ（Ｆ１〜Ｆ３）をタッチパネル２０にタッチした状態で、所望の線画ＷＧ１、ＷＧ２、又はＷＧ３を指Ｆ５でタップする。指Ｆ５は、指Ｆ１〜Ｆ４と異なる指（例えば、左手の人差し指）である。形態選択部１７は、線画の選択が終了すると、選択窓Ｗを消去する。形態選択部１７は、選択結果を線画生成部１６に通知する。
【００５２】
図８（ｂ）に示す線画生成画面２１３は、線画生成部１６が二重線を示す線画画像Ｇ５を生成したことを示す画面である。ユーザーは、既に説明した線画画像Ｇ１１に連なるように二重線を描画する場合、タッチパネル２０に接触させた３つの指Ｆ（Ｆ１〜Ｆ３）を、対応する始点ＳＰ（ＳＰ９、ＳＰ３３、ＳＰ１０）から対応する終点ＥＰ（ＥＰ９、ＥＰ３３、ＥＰ１０）までＤ方向にスライド操作する。軌跡検出部１２は、３つの指Ｆ（Ｆ１〜Ｆ３）をユーザーがスライド移動するときに、対応する３つの軌跡Ｔ（Ｔ９、Ｔ３３、Ｔ１０）を検出する。
【００５３】
線画生成部１６は、選択窓Ｗを介して選択された形態（例えば、二重線）に対応する線画画像Ｇ５を生成する。線画生成部１６は、生成した線画画像Ｇ３の両端点の位置が軌跡Ｔ３３の始点ＳＰ３３の位置と終点ＥＰ３３の位置とに一致するように、軌跡Ｔ３３に対応させて線画画像Ｇ５を生成し表示する。その後、ユーザーがタッチパネル２０から指Ｆ１〜Ｆ３を離すことによって、図８（ｃ）に示す線画生成画面２１４のように、線画生成部１６は、線画画像Ｇ１１と、画像Ｇ１１に連なる線画画像Ｇ５とを記憶部１８に記録する。
【００５４】
以上、図８を参照して説明したように、形態選択部１７は、線画の形態をユーザーに選択させる選択窓Ｗをタッチパネル２０に表示する。これにより、ユーザーは、描画する所望の線画画像を容易に選択することができる。その結果、ユーザーの描画操作の利便性を更に向上させることができる。
【００５５】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）及び（２））。また、上記の各実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の形状、時間等は一例であって、特に限定されるものではなく、本発明の構成から実質的に逸脱しない範囲で種々の変更が可能である。
【００５６】
（１）図３〜図８を参照して説明した軌跡Ｔは、直線状に形成されていたが、本発明はこれに限られない。軌跡Ｔは、例えば、曲線状に形成されてもよい。従って、領域形成部１３は、曲線を用いて選択領域Ａを生成してタッチパネル２０に表示することができる。その結果、ユーザーは、タッチパネル２０に表示される画像Ｇ１の形状に応じて、消去する画像部分を容易に指定することができる。また、線画生成部１６は、曲線状の軌跡Ｔに対応付けて、線画を生成することができる。
【００５７】
（２）図３（ｂ）を参照して説明した領域形成部１３は、ユーザーが画像Ｇ１２を視認できる程度に、選択領域Ａ全体をハッチング又は着色して表示していたが、本発明はこれに限られない。例えば、領域形成部１３は、選択領域Ａを枠線のみで表示してもよいし、選択領域Ａ内に含まれる画像Ｇ１２のみを着色又は半透明にして表示することもできる。
【産業上の利用可能性】
【００５８】
本発明は、画像修正装置及び画像形成装置の分野に利用可能である。
【符号の説明】
【００５９】
１      画像修正部（画像修正装置）
４      画像形成部
１２    軌跡検出部
１３    領域形成部
１４    判定部
１５    消去部
１６    線画生成部
１７    形態選択部
２０    タッチパネル
１００  画像形成装置
２１２  線画生成画面（選択画面）
Ａ      選択領域
ＥＰ、ＥＰ１〜ＥＰ１０、ＥＰ３１〜ＥＰ３３    終点
Ｆ、Ｆ１〜Ｆ５    指（被接触体）
Ｇ１〜Ｇ５、Ｇ１１、Ｇ１２    線画画像（画像）
Ｈ      所定時間
Ｋ      期間
Ｌ１、Ｌ２    線分
Ｍ１    第１時点
Ｍ２    第２時点
Ｓ      シート
ＳＰ、ＳＰ１〜ＳＰ１０、ＳＰ３１〜ＳＰ３３    始点
Ｔ、Ｔ１〜Ｔ１０、Ｔ３１〜Ｔ３３    軌跡
【図１】
0006350429.tif 000002
【図２】
0006350429.tif 000003
【図３】
0006350429.tif 000004
【図４】
0006350429.tif 000005
【図５】
0006350429.tif 000006
【図６】
0006350429.tif 000007
【図７】
0006350429.tif 000008
【図８】
0006350429.tif 000009